(57)【要約】【課題】本発明の課題は、便潜血検査用の検体サンプル採取セットの搬送システムの改良を提供することである。さらに詳しくは、搬送に使う搬送袋の改良による搬送システム、便潜血検体搬送用セット及び搬送用袋に関する。【課題を解決するための手段】本発明では、この改良を、搬送に使う搬送袋を２分割に区分した袋を提供することで達成した。本発明は、搬送用の袋として定形サイズの郵便袋自体又は定形サイズの郵便袋に封入可能な袋を使用し、該袋を２分割に区分けし、一方に便サンプルの採取用具、他方に説明書及びその他用具を収納してなる便潜血検体搬送システム、及び便潜血検体搬送用セットの提供という手段で達成した。【特許請求の範囲】
【請求項１】
便潜血検査用の検体サンプル採取セットの搬送システムにおいて、搬送用の袋として定形サイズの郵便袋自体又は定形サイズの郵便袋に封入可能な袋を使用し、該袋を２分割に区分けし、一方に便サンプルの採取用具、他方に説明書及びその他用具を収納してなる便潜血検体搬送システム。
【請求項２】
定形郵便の利用形態で、検査機関から被験者への便潜血検査用の検体サンプル採取セットの搬送が行われる請求項１の便潜血検体搬送システム。
【請求項３】
便潜血検査用の検体サンプル採取セットの搬送用の袋として定形サイズの郵便袋自体又は定形サイズの郵便袋に封入可能な袋を使用し、該袋を２分割に区分けし、一方に便サンプルの採取用具、他方に説明書及びその他用具を収納してなる便潜血検体搬送用セット。
【請求項４】
便潜血検査用の検体サンプル採取セットの搬送に用いる搬送用袋であって、該袋が２分割に区分けされており、一方に便サンプルの採取用具、他方に説明書及びその他用具を収納可能な搬送用袋。
【発明の詳細な説明】
【０００１】
【産業上の利用分野】
本発明は、便潜血検体搬送システム、便潜血検体搬送用セット或は搬送用袋に関するものである。
【０００２】
【従来の技術】
消化管出血による便潜血の検査法には化学的検査法と免疫学的検査法が用いられている。化学的検査法はヘモグロビンのペルオキシダーゼ様活性をクロモーゲンの酸化発色により判定する方法である。この場合、濾紙にクロモーゲンを滲ませた試験紙に便を塗布し、塗布便の上に発色液の過酸化水素水を滴下して発色の有無を判定する。一方、免疫学的測定法に供する試料は採便容器内に充填されている緩衝液に便を懸濁させたものを試料とし、免疫ラテックス凝集法、赤血球凝集法もしくはイムノクロマト法等の免疫学的測定法でヘモグロビンおよびトランスフェリンを測定する。
便潜血の検査は上述のごとくヘモグロビンまたはトランスフェリンをマーカーとして検査が行われている。
後者の系の場合、採便容器には予め緩衝液が充填されており、容器は一定幅の厚みを持ったものである。採便容器等の検体採取セットは通常採取具（便の掻取り棒とそれを保持する緩衝液を充填した容器）と採取にあたっての注意事項等の取り扱い説明書及びその他が包含されており、このセットが被検者に検査機関から郵送される。
そして、採便後のサンプルは、受診者の特定とサンプルの特定をなされて、検査機関に検査のために回収されてくる。
このような搬送は、従来、採取具の下に説明書が重なり定形外の厚みとなり、定形外郵便を使用して行われていた。
【０００３】
【発明が解決しようとする課題】
本発明の課題は、このような便潜血検査用の検体サンプル採取セットの搬送システムの改良を提供することである。さらに詳しくは、搬送に使う搬送袋の改良による搬送システム、便潜血検体搬送用セット及び搬送袋に関する。
【０００４】
【課題を解決するための手段】
本発明では、この改良を、搬送に使う搬送袋を２分割に区分けするという手段を導入し達成した。
つまり、本発明は、
１．便潜血検査用の検体サンプル採取セットの搬送システムにおいて、搬送用の袋として定形サイズの郵便袋自体又は定形サイズの郵便袋に封入可能な袋を使用し、該袋を２分割に区分けし、一方に便サンプルの採取用具、他方に説明書及びその他用具を収納してなる便潜血検体搬送システム。
２．定形郵便の利用形態で、検査機関から被験者への便潜血検査用の検体サンプル採取セットの搬送が行われる前項１の便潜血検体搬送システム。
３．便潜血検査用の検体サンプル採取セットの搬送用の袋として定形サイズの郵便袋自体又は定形サイズの郵便袋に封入可能な袋を使用し、該袋を２分割に区分けし、一方に便サンプルの採取用具、他方に説明書及びその他用具を収納してなる便潜血検体搬送用セット。
４．便潜血検査用の検体サンプル採取セットの搬送に用いる搬送用袋であって、該袋が２分割に区分けされており、一方に便サンプルの採取用具、他方に説明書及びその他用具を収納可能な搬送用袋。
からなる。
【０００５】
【発明の実施の形態】
本発明は、便潜血検査用の検体サンプル採取セットの搬送システムにおいて、搬送用の袋として定形サイズの郵便袋自体又は定形サイズの郵便袋に封入可能な袋を使用することを特徴とする。
【０００６】
定形サイズとは、長さが１４〜２３．５ｃｍ、幅が９〜１２ｃｍ、厚さが１ｃｍ、重量が５０ｇまでの袋をいう。
本発明に使用する搬送用袋は、それ自体が定型サイズの郵便袋であるか、或は該袋が定形サイズの郵便袋に封入可能な袋であって、該袋は被験者に定形サイズの郵便配送形態で郵送される。該搬送用袋は２分割に区分けされる。区分けは、糊付け或は圧着・熱着等の手段で容易に区分けがくずれない程度の強度の接着が達成されている。区分けの部位は、収納する用具の種類、大きさ、個数等により適宜調製が可能であるが縦中央付近で区分けするのが望ましい。
【０００７】
この区分けにより、検体サンプル採取セットを袋内に装填しても、厚さが１ｃｍを超えず、定形郵便による搬送が可能となる。袋の一方には、便サンプルの採取用具が装填される。便サンプルの採取用具とは、便の掻取り棒とそれを保持する緩衝液を充填した容器が該当する。容器は丸型、四角型、平型等適宜選択できるが、薄平型が最適である。また大きさは、該搬送用袋に収納できるものであれば良いが、薄型の容器であれば、長さが３〜１５ｃｍ、幅が１〜８．５ｃｍ、厚さが０．５〜０．９５ｃｍのものが例示され、好ましくは、長さが４〜１１ｃｍ、幅が１〜４ｃｍ、厚さが０．５〜０．９ｃｍ、更に好ましくは、長さが５〜８ｃｍ、幅が１．５〜３ｃｍ、厚さが０．６〜０．９ｃｍのものが好適に例示される。
【０００８】
袋の他方には、説明書及びその他用具を収納する。説明書とは、便の掻取り法、時期、保存、搬送法等の手段を説明する書類であり、その他用具とは所望により同封されるものであり、例えば名札シール、バージンシール、返送用封筒及び採便シート等が該当する。本発明では、このような袋に充填された便潜血検査用の検体サンプル採取セットを利用してなる便潜血検体搬送システムを提供する。
【０００９】
本発明のシステムでは、便潜血検査用の検体サンプル採取セットが２つに区分け充填されてなる搬送用袋を使い、該袋が検査機関から被験者へ定形郵便物として搬送される。搬送は被験者への送付後、被験者は返送用封筒を使い検査機関への搬送に付すことや検診時に持参することが出来る。この返送用に用いる場合にも当該袋は格別２つへの区分けは必須ではないが、被験者への郵送に用いた搬送用袋をそのまま用いてもよいし、返送物にアンケート回答（問診回答）等を充填する場合には、同様に本発明からなる袋を使い検体採取用具とアンケート等を区分け充填して返送することも可能である。
【００１０】
本発明は、上記のような袋を使うことで、便潜血検査用の検体サンプル採取セットの搬送用の袋として定形サイズの郵便袋を使用し、該袋を２分割に区分けし、一方に便サンプルの採取用具、他方に説明書及びその他用具を収納してなる便潜血検体搬送用セットを提供する。
【００１１】
以下に本発明を実施例で説明する。
【実施例１】
図は、本発明の袋を例示する。袋は縦約２３ｃｍ、幅約１２ｃｍ、そして縦方向の中心部に区分けのための仕切りが糊付けによって行われている。また、開封に際し、便宜のためにこの仕切り部が引き裂きにより２分割されうる強度に接着されていてもよい。袋の上部は、袋を封じるためのチャック部分を有する構成となっている。袋の２分されたどちらに、便潜血検体搬送用セットのいづれを充填してもよいが、一方に便採取具（縦約７ｃｍ、幅約２ｃｍ、厚さ約０．８ｃｍの容器とそれに用いる便の掻取り棒）を２つ、他方に説明書及び採便シート２枚が封入される。
【００１２】
【実施例２】
実施例１で封入された便潜血検体搬送用セットを、検査機関は定形郵便により被験者に送付した。被験者は、説明書の指示に従い便を採取し、その後、便採取用具を袋に収納し、検査時に被験者が持参した。
【００１３】
【発明の効果】
【００１４】
このようにして提供される本発明のシステム又はセットは、郵便物の搬送において定形郵便扱いで処理が達成され、費用において約３３％の節減を達成し、経費の大幅な節約を可能とした。
【図面の簡単な説明】
【図１】本発明の袋の概念図
【図１】
2004125408.tif 000002